(57)【特許請求の範囲】
【請求項１】
車両に搭載された空調機器に対する操作を選択的に実行するためのメニュー項目を表示する表示部と、該表示部に前記メニュー項目を切換表示させる表示画面切換部と、指の操作により前記表示部に表示されたメニュー項目を選択する信号を出力するタッチパネルとを有する空調機器の表示制御装置であって、
前記表示画面切換部は、メニュー項目を前記表示部に表示する画面を階層状に構成し、
前記階層状に構成された画面毎の操作を指の操作本数で識別するとともに、該指の操作方向を判定する操作判定部と、該操作判定部により判定された指の操作方向から選択されるメニューを判定する選択メニュー判定部とを有し、
前記表示画面切換部は、前記階層状に構成された画面のうちの下層の画面に対応する操作本数の指が該画面に接触すると、前記表示部に前記空調機器のファン又は設定温度を強調的に表示させ、
前記選択メニュー判定部は、ファン又は設定温度が強調的に表示された画面上を指が接触したままで移動する方向と移動量からファン又は設定温度の調整を行うメニューが選択されたと判定する
ことを特徴とする空調機器の表示制御装置。
【請求項２】
前記選択メニュー判定部は、前記画面上に接触して移動する指の方向からファン又は温度の調整を認識し、前記指の移動量からファン又は温度の調整量を認識する
ことを特徴とする請求項１に記載の空調機器の表示制御装置。
【請求項３】
前記表示画面切換部は、前記選択メニュー判定部によりファン又は設定温度の調整を行うメニューが選択されたと判定されると、前記表示部に対して画面を変化させてファン又は温度の調整を知らせる
ことを特徴とする請求項２に記載の空調機器の表示制御装置。
【請求項４】
前記ファン又は設定温度の調整は、前記表示部に表示される画面のいずれの位置でも可能である
ことを特徴とする請求項１から３のいずれかに記載の空調機器の表示制御装置。
【請求項５】
前記操作判定部は、前記表示部に表示される画面に対応した操作本数の指による操作を有効とし、前記画面に対応しない操作本数の指の操作を無効とする
ことを特徴とする請求項１から４のいずれかに記載の空調機器の表示制御装置。
【請求項６】
前記表示画面切換部は、前記表示部に対して前記下層の画面を表示させる際に異なる複数の吹き出し口が表示される画面を表示させ、
前記選択メニュー判定部は、指が前記画面上を移動すると、複数の吹き出し口のメニューの選択判定が可能である
ことを特徴とする請求項１から５のいずれかに記載の空調機器の表示制御装置。
【発明の詳細な説明】
【技術分野】
【０００１】
本発明は、車両に搭載された各種の車載機器を操作可能な表示制御装置に関し、特に、空調機器を操作可能な表示制御装置に関する。
【背景技術】
【０００２】
近年、自動車等の車両には、カーナビゲーション装置、交通情報表示装置、空調装置、オーディオ装置、Ｅメール及び電話、インターネット接続機器等、種々の機器が搭載されるようになっている。これらの各機器を別々に車載し、各機器について専用の操作ボタン、ツマミ等を設けると、車室内の限られた空間に多数の機器の多数の操作ボタン等を配置することが必要になるので、各操作ボタン等を小型化すると、各機器の操作がしにくくなる。
【０００３】
そこで、特許文献１に記載があるように、車載される各機器の操作部及び表示部を統合した装置が考案され、使用されている。このような各車載機器の操作部及び表示部を統合した装置では、同一の操作ボタンを各車載機器で共用したり、各機器の操作ボタンを表示装置に順次表示することによって、多数の機能を比較的大きな操作ボタンで操作できるようにしている。これらの装置においては、一般に、階層的なメニュー方式が採用されている。即ち、車載機器を選択するメニューが最上位階層の操作メニューとして表示され、この最上位階層から、操作する車載機器のより下の階層に向って操作メニューを順次選択していくことにより、目的の操作を実行する。
【先行技術文献】
【特許文献】
【０００４】
【特許文献１】特許第４４３１９７０号公報（２頁）
【発明の概要】
【発明が解決しようとする課題】
【０００５】
しかしながら、例えば、車載機器のうち空調機器を、階層的なメニュー方式で操作するためには、機能に対応するメニューを画面から探して押圧操作が必要になるという問題がある。
【０００６】
本発明は、このような問題に鑑みてなされたものであり、空調機器の操作入力の操作性を向上させることができる空調機器の表示制御装置を提供することを目的とする。
【課題を解決するための手段】
【０００７】
上記目的を達成するために本発明は、車両（実施の形態における自動車１０）に搭載された空調機器（実施の形態におけるエアコンディショナシステム４）に対する操作を選択的に実行するためのメニュー項目を表示する表示部と、該表示部にメニュー項目を切換表示させる表示画面切換部と、指の操作により表示部に表示されたメニュー項目を選択する信号を出力するタッチパネル（実施の形態におけるスライドパッド２１）とを有する空調機器の表示制御装置であって、表示画面切換部は、メニュー項目を表示部に表示する画面を階層状に構成し、階層状に構成された画面毎の操作を指の操作本数で識別するとともに、該指の操作方向を判定する操作判定部（実施の形態における操作パターン判定部３１）と、該操作判定部により判定された指の操作方向から選択されるメニューを判定する選択メニュー判定部とを有し、表示画面切換部は、階層状に構成された画面のうちの下層の画面に対応する操作本数の指が該画面に接触すると、表示部に空調機器のファン又は設定温度を強調的に表示させ、選択メニュー判定部は、ファン又は設定温度が強調的に表示された画面上を指が接触したままで移動する方向と移動量からファン又は設定温度の調整を行うメニューが選択されたと判定することを特徴とする（請求項１）。
【０００８】
また、本発明の選択メニュー判定部は、画面上に接触して移動する指の方向からファン又は温度の調整を認識し、指の移動量からファン又は温度の調整量を認識することを特徴とする（請求項２）。
【０００９】
また、本発明の表示画面切換部は、選択メニュー判定部によりファン又は設定温度の調整を行うメニューが選択されたと判定されると、表示部に対して画面を変化させてファン又は温度の調整を知らせることを特徴とする（請求項３）。
【００１０】
また、本発明のファン又は設定温度の調整は、表示部に表示される画面のいずれの位置でも可能である  ことを特徴とする（請求項４）。
【００１１】
また、本発明の操作判定部は、表示部に表示される画面に対応した操作本数の指による操作を有効とし、画面に対応しない操作本数の指の操作を無効とすることを特徴とする（請求項５）。
【００１２】
また、本発明の表示画面切換部は、表示部に対して前記下層の画面を表示させる際に異なる複数の吹き出し口が表示される画面を表示させ、選択メニュー判定部は、指が画面上を移動すると、複数の吹き出し口のメニューの選択判定が可能であることを特徴とする（請求項６）。
【発明の効果】
【００１３】
以上説明したように、本発明に係わる空調機器の表示制御装置によれば、上記特徴を有することで、空調機器の操作入力の操作性を向上させることができる空調機器の表示制御装置を提供することができる。
【図面の簡単な説明】
【００１４】
【図１】本発明の一実施の形態に係わる空調機器の表示制御装置のブロック図を示す。
【図２】空調機器の表示制御装置の表示部を説明するための自動車の車室前側の部分斜視図を示す。
【図３】表示部に表示される最上位の階層の画面のメニュー表示例を示す説明図である。
【図４】表示部に表示される最上位の階層より一つ下の画面のメニュー表示例を示す説明図である。
【図５】表示部に表示される最上位の階層より二つ下の画面のメニュー表示例を示す説明図である。
【図６】操作方向の判定を示す説明図である。
【図７】表示部からの入力例を示す説明図である。
【図８】座標値への変換を示す説明図である。
【図９】表示部からメニューを選択する説明図を示し、同図（ａ）は最上位の階層のメニューを選択する場合を示し、同図（ｂ）は最上位の階層より一つ下のメニューを選択する場合を示す。
【図１０】最上位の階層より二つ下のメニューを選択する場合の説明図を示す。
【図１１】最上位の階層より一つ下の空調機器のメニュー選択前の表示例を示す説明図である。
【図１２】最上位の階層より一つ下の空調機器のメニュー選択後の表示例を示す説明図である。
【図１３】最上位の階層より一つ下の空調機器の温度調整メニュー選択後の表示例の説明図を示し、同図左側が低温調整時の表示例であり、同図右側が高温調整時の表示例である。
【図１４】適合操作の判定ルーチンのフローチャートを示す。
【図１５】操作方向の判定ルーチンのフローチャートを示す。
【図１６】選択メニュー確定のフローチャートを示す。
【図１７】制御ルーチンのフローチャートを示す。
【発明を実施するための形態】
【００１５】
以下、本発明の空調機器の表示制御装置の好ましい実施の形態を図１から図１７に基づいて説明する。
【００１６】
空調機器の表示制御装置２０は、図１に示すように、各種の車載機器１を運転席から運転手が指で操作するための操作入力手段としてのスライドパッド２１と、スライドパッド２１からの信号を処理して操作内容を認識し、各種の車載機器１に対する制御信号を出力する操作処理部３０と、操作入力のためのメニュー画面を表示する表示部５０からなる。この表示制御装置２０に、ナビゲーションシステム２、オーディオシステム３、エアコンディショナシステム４、電話システム５、インターネット６、案内システム７等の各種の車載機器１のシステムが接続されている。
【００１７】
スライドパッド２１は、例えば、２枚の抵抗シートをフィルム状電極シートを介して張り合わせた平面状のタッチパネルである。本実施形態では、図２に示すように自動車１０の車室１１の前側に設けられたインストルメントパネル１２の幅方向中央部上に表示部５０と一体的に設置されている。スライドパッド２１は、表示部５０と別個にステアリングパッド部１３やアームレスト等に設置しても良い。スライドパッド２１は透明材料で形成されて表示部５０の車室側に配設され、表示部５０の前方側から表示部５０に表示されたメニュー画面をスライドパッド２１を介して視認可能である。そして、表示部５０のメニュー画面から所望の項目を指のタッチ操作によって選択し、目的とする車載機器１のＯＮ，ＯＦＦや動作状態の変更等を行うことができる。
【００１８】
スライドパッド２１からの信号を処理する操作処理部３０には、図１に示すように、スライドパッド２１上の指先の位置を座標値に変換し、入力座標値の動きと記憶された基準方向とを照合して、指の操作方向を判定するとともに、スライドパッド２１上で操作されて指の操作本数を識別する操作パターン判定部３１と、操作判定部により判定された指の操作方向から選択されるメニューを判定する選択メニュー判定部３２と、選択操作の基準方向及び各種の車載機器１の選択操作画面を記憶する記憶部３３と、表示部５０に表示させる画面の切換制御をする表示画面切換部３５と、選択されたメニューに従い各種の車載機器１や表示画面切換部３５へ制御信号を出力する制御部３７とを備えている。
【００１９】
操作パターン判定部３１は、スライドパッド２１上の指先の位置を座標値に変換するとともに、階層状に構成された画面が対応する操作本数の指で操作されているか否かを判定するタッチポイント認識部３１ａと、指先の移動方向を認識する移動方向認識部３１ｂを有している。
【００２０】
図３は、表示部５０に表示されるメニュー画面の例を示し、このメニュー表示例では、初期状態の画面として、図３に示すように、画面中央の周辺に、「ＡＵＤＩＯ」、「ＩＮＴＥＲＮＥＴ」、「ＮＡＶＩ」、「ＰＨＯＮＥ」、「ＣＯＮＣＩＥＲＧＥ」、「ＴＥＭＰ」の６個のメニュー項目が表示される。
【００２１】
表示部５０に表示されるメニュー画面は、階層化された状態で記憶部３３に記憶されている。図３に記載された初期状態の画面は最上位の階層（以下、「１番目の階層Ｐ１」と記す。）の画面であり、図４に示すメニュー画面が最上位より一つ下の階層（以下、「２番目の階層Ｐ２」と記す。）の画面であり、図５に示すメニュー画面が最上位より二つ下の階層（以下、「３番目の階層Ｐ３」と記す。）の画面である。
【００２２】
１番目の階層Ｐ１の画面は、図９（ａ）に示すように、操作者Ｍの手ｈの三本の指ｆをスライドパッド２１上で接触させた状態で画面に表示されたメニューの選択操作が可能であり、２番目の階層Ｐ２の画面は、図９（ｂ）に示すように、二本の指ｆをスライドパッド２１上で接触させた状態で画面に表示されたメニューの選択操作が可能であり、３番目の階層の画面は、図１０に示すように、一本の指ｆをスライドパッド２１上で接触させた状態で画面に表示されたメニューの選択操作が可能である。つまり、各階層Ｐ１、Ｐ２、Ｐ３の画面は、対応する指ｆの操作本数（１〜３）と異なる本数ではメニューの選択操作ができない。このため、メニュー選択操作の誤操作を未然に防止することができる。画面の階層の詳細については後述する。
【００２３】
このようなメニュー画面に対するスライドパッド２１の操作形態としては、図６に示すように、斜線部分を除いた領域内において画面の中央部から外側方向へ向く基準方向が記憶部３３（図１参照）に予め記憶されている。基準方向は、ＸＹ座標中心Ｏから半径方向に伸びる仮想線ＬがＸ軸に対して反時計方向に回転したときの回転角度θで示される。本実施例では、基準方向が３４°〜８５°の範囲Ａ１内では「ＡＵＤＩＯ」のメニュー項目の選択が可能であり、基準方向が９６°〜１４６°の範囲Ａ２内では「ＩＮＴＥＲＮＥＴ」のニュー項目の選択が可能であり、基準方向が１５７°〜２０５°の範囲Ａ３内では「ＮＡＶＩ」のニュー項目の選択が可能であり、基準方向が２２４°〜２６５°の範囲Ａ４内では「ＰＨＯＮＥ」のニュー項目の選択が可能であり、基準方向が２７５°〜３２４°の範囲Ａ５内では「ＣＯＮＣＩＥＲＧＥ」のニュー項目の選択が可能であり、基準方向が３３５°〜２３°の範囲Ａ６内では「ＴＥＭＰ」のニュー項目の選択が可能になっている。
【００２４】
図７に示すように、スライドパッド２１上で指ｆが矢印の示す方向に斜め右上に動くと、図１に示すタッチポイント認識部３１ａは、この右上への操作に伴ってスライドパッド２１から出力される信号を２次元平面上の座標値に変換する。そして、図８に示すように、座標（Ｘ１，Ｙ１）から座標（Ｘ２，Ｙ２），…，（Ｘｎ，Ｙｎ）へと座標値が移動する。
【００２５】
そして、移動方向認識部３１ｂ（図１参照）は、座標値の移動方向と基準方向とを照合して、スライドパッド２１上の操作が基準方向のいずれかに該当するかを判定する。そして、移動方向認識部３１ｂが右上方向の回転角度θを有した基準方向と判定すると、図９（ａ）のメニュー画面の例では、図９（ｂ）に示すように、手ｈの指ｆが「ＡＵＤＩＯ」のメニュー項目に移動したことになり、選択メニュー判定部３２（図１参照）が「ＡＵＤＩＯ」のメニュー項目が選択されたと判定する。なお、メニュー項目の選択に際し、前述した実施例では、指ｆの移動開始位置が画面の略中央位置の場合を示したが、指ｆの移動開始位置は画面の略中央位置に限るものではなく、移動方向の算出可能であれば移動開始位置は画面の任意の位置でもよい。この場合には、算出された移動方向に対応する図６の基準方向が選択され、この選択された基準方向からメニュー項目が特定される。
【００２６】
なお、指ｆが「ＡＵＤＩＯ」のメニュー項目に移動すると、メニュー項目の選択が実行されたことの確認音が発生するようにしてもよい。「ＡＵＤＩＯ」のメニュー項目が選択されると、図９（ｂ）に示すように、表示部５０には２番目の階層Ｐ２の画面のメニュー項目が表示され、「ＭＵＳＩＣ」の選択、ＦＭあるいはＡＭの選択、「ＶＩＤＥＯ」の選択の更に詳細な操作が行えるようになる。
【００２７】
また、２番目の階層Ｐ２の画面にメニュー項目が表示された状態で、二本の指ｆで「ＦＭ−ＲＡＤＩＯ」のメニュー項目が選択操作されると、図１０に示すように、３番目の階層Ｐ３の画面にメニュー項目が表示され、ＦＭ放送の複数の放送局料の選択の更に詳細な選択操作が行えるようになっている。３番目の階層Ｐ３のメニュー選択は１本の指ｆによって行われる。
【００２８】
このように、希望のメニュー項目を選択する場合、画面に対応した指ｆの操作本数で画面の中央部から選択したいメニュー項目の方向に指ｆをスライド移動させ、または画面の任意の位置から画面に対応した指ｆの本数で基準方向と同一の方向にスライド移動させればよい。このため、希望のメニュー項目を選択する際に、指ｆを画面の中央部から移動させる必要はなく、画面に対して操作者Ｍの手ｈを持っていき易い場所で選択操作を行うことができる。このため、運転中の操作において表示部５０の中央部を確認する必要がなく、安全性を向上することができる。また、指ｆの操作はメニュー項目を選択するだけでいいので、操作を単純化することができる。このため、各種の車載機器１を選択する操作の操作性を向上させることができる。
【００２９】
ここで、操作者Ｍの手ｈが表示部５０から離れている場合は、次の操作を待っている状態に相当し、通常は、この状態で車両の運転を続けることが多い。従って、表示部５０の画面は、運転の妨げとならないような表示色及び明るさにすることが望ましい。また、スライドパッド２１からの入力によってメニュー項目が選択されたときに、選択されたメニュー項目を表示する画面の階層よりも一つ下の階層の画面に表示される際に、一つ下の階層の画面の色彩を変えることで、運転手の注意を喚起し、無駄な操作を回避することができる。
【００３０】
次に、空調機器を操作する場合について図１１〜図１３を参照しながら説明する。図１１は、１番目の階層Ｐ１より一つ下の階層Ｐ２の空調機器のメニュー選択前の表示例を示している。図３に示す１番目の階層Ｐ１の画面中の「ＴＥＭＰ」のメニューが選択されると、表示部５０には、図１１に示すように、２番目の階層Ｐ２に対応する画面のメニュー項目が表示される。この画面には、画面の中央部にファン５１の画像が表示され、ファン５１の中央部には温度が表示されている。この温度表示の上方には温度を上げる表示「ＨＯＴ」が現され、温度表示の下方には温度を下げる表示「ＣＯＯＬ」が現されている。また温度表示の左右両側にはファン５１の風量を調整する表示「>」、「>>>」が現されている。表示「>」は風量を少なくする表示であり、「>>>」は風量を多くする表示である。
【００３１】
また、２番目の階層Ｐ２に対応する画面の左側には、空調の吹き出し口の位置が選択できるように、吹き出し口の位置に応じた複数の表示が示されている。図１１の場合では、上から「ＤＥＦ」、「上部吹き出し」、「下部吹き出し」等が表示されている。
【００３２】
図１２は、２番目の階層Ｐ２に対応する空調機器のメニューを選択した後の表示例を示している。この画面では、ファン５１の複数の羽根５１ａが強調的に表示されている。２番目の階層Ｐ２に対応する画面からファン５１の回転数を調整する場合には、二本の指で画面上を触わった状態で、指を左右方向に移動させると、風量の増大又は減少させることができる。即ち、指を左側から右側に移動させると、風量を増加させることができ、指を右側から左側に移動させると、風量を減少させることができる。風量の調整量は指の移動量に従う。また、風量の調整時には、画面に表示されたファン５１が回転し、風量の調整量に応じてファン５１の回転数が変化して、風量調整が行われていることを知らせる。
【００３３】
２番目の階層Ｐ２に対応する画面が表示された状態で、二本の指で画面の左側に表示された複数の吹き出し口のいずれかを選択すると、選択された吹き出し口から空気を吐出させることができる。なお、複数の吹き出し口のうち上下に隣接する吹き出し口を同時に選択することもできる。例えば、「ＤＥＦ」と「上部」、「上部」と「下部」である。
【００３４】
図１３は、２番目の階層Ｐ２に対応する空調機器の温度調整メニュー選択後の表示例を示し、同図左側が低温調整時の表示例であり、同図右側が高温調整時の表示例である。温度を下げる場合には、二本の指で画面上の「ＣＯＯＬ」が表示された部位周辺を二本の指で接触させた状態で指を画面に対して上方から下方へ移動させる。一方、温度を上げる場合には、二本の指で画面上の「ＨＯＴ」が表示された部位周辺を二本の指で接触させた状態で指を下方から下方へ移動させる。温度の調整量は、指の移動量が大きいほど調整量が大きくなり、指の移動量が小さいほど小さくなる。また、温度調整ときには、画面の色が変化し、温度を上げた場合には画面が赤色系に変化し、温度を下げた場合には画面が青色系に変化する。
【００３５】
このように、空調機器を操作する場合、初期画面である１番目の階層Ｐ１の画面からメニューを選択して表示された２番目の階層Ｐ２の画面で、風量調整、温度調整、吹き出し口の選択を行うことができる。このため、深い階層まで下がった画面で操作する必要がない。また指の操作方向や移動量でファン５１の風量や温度の調整をすることができる。このため、ファン５１の風量や温度を調整するためのボタン等を探す必要はなく、風量や温度の調整のための操作性を向上させることができる。
【００３６】
次に、操作処理部３０による操作処理について、図１４〜図１７のフローチャートに従って説明する。
【００３７】
図１４は、表示部５０に表示された画面に接触している指ｆの操作本数が画面に対応する本数であるか否かを判定する適合操作判定ルーチンを示している。このルーチンは、前述したタッチポイント認識部３１ａによって行われる。まず、ステップ１００で、現在の表示部５０に表示されたメニュー画面の階層を確認する。階層の確認ができると、ステップ１０１へ進む。ステップ１０１では、スライドパッド２１に接触している指ｆの操作本数を確認する。指ｆの操作本数が確認されると、ステップ１０２へ進む。ステップ１０２では、指ｆの操作本数が階層に対応した本数であるか否かを調べ、対応した本数でないときには、指の操作を無効と判断してステップ１００に戻り、対応した本数であるときにはステップ１０３へ進む。ステップ１０３では、指ｆの操作が有効であると判定して適合操作判定を終了し、図１５に示す操作方向の判定ルーチンに移行する。
【００３８】
操作方向の判定ルーチンは、前述した移動方向認識部３１ｂで行われる。このルーチンでは、図１５に示すように、まず、ステップ２０１で前回の座標値（Ｘｏｌｄ，Ｙｏｌｄ）と今回の座標値（Ｘｎｅｗ，Ｙｎｅｗ）とから傾きｍを演算し（ｍ＝（Ｙｎｅｗ−Ｙｏｌｄ）／（Ｘｎｅｗ−Ｘｏｌｄ））、ステップ２０２で、座標値の時間変化ΔＸ１，ΔＹを演算する（ΔＸ＝Ｘｎｅｗ−Ｘｏｌｄ，ΔＹ＝Ｙｎｅｗ−Ｙｏｌｄ）。
【００３９】
次に、ステップ２０３へ進み、傾きｍと座標値の時間変化ΔＸ，ΔＹとを用いて基準方向との照合を行い、操作方向を判別する。この操作方向の判定は、図６に示すように、ＸＹ座標平面をメニュー画面を含む領域Ａ１,Ａ２,…Ａ６に区画し、傾きｍと座標値の時間変化ΔＸ１，ΔＹとによる操作方向が、いずれの領域に該当するかを調べることで行う。
【００４０】
このため、ＸＹ座標中心Ｏに対し、前述した３４°〜８５°、９６°〜１４６°、１５７°〜２０５°、２２４°〜２６５°、２７５°〜３２４°、３３５°〜２３°の各範囲を、領域Ａ１，Ａ２，Ａ３，Ａ４，Ａ５，Ａ６とし、それぞれの領域のＸＹ座標中心Ｏから各領域側へ向く方向を基準方向とする。
【００４１】
そして、傾きｍによる角度θと、座標値の時間変化ΔＸ，ΔＹとにより、以下のように、今回の操作方向が領域Ａ１，Ａ２，…，Ａ６のいずれかの方向に向いているかを調べる。
【００４２】
３４°≦θ≦８５°のとき、
ΔＸ＞０ならば領域Ａ１→「ＡＵＤＩＯ」のメニュー選択が可能な方向を向いているとし、
９６°≦θ≦１４６°のとき、
ΔＸ＜０ならば領域Ａ２→「ＩＮＴＥＲＮＥＴ」のメニュー選択が可能な方向を向いているとし、
１５７°≦θ≦２０５°のとき、
ΔＸ＜０ならば領域Ａ３→「ＮＡＶＩ」のメニュー選択が可能な方向を向いているとし、
２２４°≦θ≦２６５°のとき、
ΔＸ＜０ならば領域Ａ４→「ＰＨＯＮＥ」のメニュー選択が可能な方向を向いているとし、
２７５°≦θ≦３２４°のとき、
ΔＸ＞０ならば領域Ａ５→「ＣＯＮＣＩＥＲＧＥ」のメニュー選択が可能な方向を向いているとし、
３３５°≦θ≦２３°のとき、
ΔＸ＞０ならば領域Ａ６→「ＴＥＭＰ」のメニュー選択が可能な方向を向いているとする。
尚、各領域間には、不感帯（２３°〜３４°，８５°〜９６°，１４６°〜１５７°，２０５°〜２２４°，２６５°〜２７５°，３２４°〜３３５°）を設け、曖昧な操作による誤作動を防止する。
【００４３】
以上により、操作方向が判別されると、次に図１６に示す選択メニューの確定ルーチンに進む。この選択メニューの確定ルーチンは前述した選択メニュー判定部３２で行われる。このルーチンでは、先ず、ステップ３０１で操作方向の確認が行われる。操作方向の確認が行われると、ステップ３０２に進む。ステップ３０２では、操作方向が基準方向と合致するか否かが判定され、合致しなければ、ステップ３０１に戻り、合致していればステップ３０３に進む。ステップ３０３では、操作方向に対応するメニューを確定して、選択メニューの確定ルーチンを終了して、制御ルーチンに以降する。
【００４４】
以上の選択メニューの確定ルーチンに対し、図１７の制御ルーチンでは、制御部３７は、ステップ４０１において、表示部５０に表示画面切換部３５を介してＴＯＰ画面を表示させる。この画面に指が接触した状態になると、ステップ４０２に移行する。ステップ４０２では、タッチポイント認識部３１ａによって接触（タッチ）している指の数が１番目の階層Ｐ１の割り当てられた数（３本）と同じであるか否かが判定され、同じである場合には、ステップ４０３に移行し、同じでない場合にはステップ４０１に戻る。
【００４５】
ステップ４０３では、表示部５０に表示画面切換部３５を介して１番目の階層Ｐ１の画面（最上位階層画面）を表示させる。この画面が表示された後に所定時間内でなんら操作がない場合には、ステップ４０１に戻る。一方、画面に指が接触した状態で操作がされると、ステップ４０４に移行する。ステップ４０４では、前述した選択メニューの確定ルーチンによって確定した選択メニューを読み、選択メニューが確定している場合には、ステップ４０５に移行し、選択メニューが確定していなければ、ステップ４０３に戻る。
【００４６】
ステップ４０５では、表示部５０に表示画面切換部３５を介して２番目の階層Ｐ２の画面を表示させる。この画面が表示された後に所定時間内でなんら操作がない場合には、ステップ４０１に戻る。一方、画面に指が接触した状態で操作がされると、ステップ４０６に移行する。ステップ４０６では、前述した適合操作判定結果を読み、タッチしている指の数が２番目の階層Ｐ２に割り当てられた数（２本）と同じ旨の操作の有効判定を読み込むと、ステップ４０８に移行し、そうでない場合にはステップ４０７に移行する。
【００４７】
ステップ４０７では、タッチしている指の数が１番目の階層Ｐ１に割り当てられた数（３本）と同じであるか否かが判定され、同じであれば、ステップ４０３に移行して１番目の階層Ｐ１の最上位階層画面が表示部５０に表示される。一方、同じでなければ、ステップ４０５に戻って、２番目の階層Ｐ２の画面が表示部５０に表示された状態に維持される。
【００４８】
ステップ４０８では、前述した選択メニューの確定ルーチンで出された選択メニューが実行され、ステップ４０９で選択メニューに対応する３番目の階層Ｐ３の画面が表示部５０に表示される。この画面が表示された後に所定時間内でなんら操作がない場合には、ステップ４０１に戻る。一方、画面に指が接触した状態で操作がされると、ステップ４１０に移行する。ステップ４１０では、前述した適合操作判定結果を読み、タッチしている指の数が３番目の階層Ｐ３に割り当てられた数（１本）と同じ旨の結果を読み取ると、ステップ４１２に移行し、そうでない場合にはステップ４１１に移行する。
【００４９】
ステップ４１１では、タッチしている指の数が１番目の階層Ｐ１に割り当てられた数（３本）と同じであるかいなかが判定され、同じであれば、ステップ４０３に戻って１番目の階層Ｐ１の最上位階層画面が表示部５０に表示される。一方、同じでなければ、ステップ４０９に戻って、３番目の階層Ｐ３の画面が表示部５０に表示された状態が維持される。
【００５０】
ステップ４１２では、前述した選択メニューの確定ルーチンで出された選択メニューが実行される。この画面が表示された後に所定時間内でなんら操作がない場合には、ステップ４０１に戻る。
【符号の説明】
【００５１】
４  エアコンディショナシステム（空調機器）
１０  自動車（車両）
２０  表示制御装置
２１  スライドパッド（タッチパネル）
３１  操作パターン判定部（操作判定部）
３２  選択メニュー判定部
３５  表示画面切換部
５０  表示部
【図１】
0005860746.tif 000002
【図２】
0005860746.tif 000003
【図３】
0005860746.tif 000004
【図４】
0005860746.tif 000005
【図５】
0005860746.tif 000006
【図６】
0005860746.tif 000007
【図７】
0005860746.tif 000008
【図８】
0005860746.tif 000009
【図９】
0005860746.tif 000010
【図１０】
0005860746.tif 000011
【図１１】
0005860746.tif 000012
【図１２】
0005860746.tif 000013
【図１４】
0005860746.tif 000014
【図１５】
0005860746.tif 000015
【図１６】
0005860746.tif 000016
【図１７】
0005860746.tif 000017
【図１３】
0005860746.tif 000018